(57)【要約】【課題】配線管へケーブルを挿入する場合だけでなく、既存の配線管からの既存ケーブルを抜き取る場合にも応用できる方法及び装置を提供する【解決手段】配線管１０２に通線ワイヤー１０４を挿入し、該通線ワイヤー１０４によってケーブル１０３を配線管１０２に通す配線管への通線方法において、配線管１０２への通線ワイヤー１０４の挿入を通線ワイヤー１０４に振動を付与しながら行う。また、配線管１０２内に配線されている既存ケーブルを配線管１０２から引き抜く既存ケーブルの引抜方法において、上記既存ケーブルに振動を付与しながら配線管１０２から引き抜く。【選択図】図２
2009112064.tif 000002
【特許請求の範囲】
【請求項１】
配線管に通線ワイヤーを挿入し、該通線ワイヤーによってケーブルを配線管内に引き込む配線管への通線方法において、
上記配線管への上記通線ワイヤーの挿入を該通線ワイヤーに振動を付与しながら行うことを特徴とする配線管への通線方法。
【請求項２】
配線管に通線ワイヤーを挿入し、該通線ワイヤーによってケーブルを配線管内に引き込む配線管への通線方法に使用する通線装置であって、
上記通線ワイヤーを上記配線管内に押し込むために上記通線ワイヤーに接続されるワイヤー押込具と、該ワイヤー押込具によって押込まれる上記通線ワイヤーに振動を付与するバイブレータと、を備えていることを特徴とする配線管への通線装置。
【請求項３】
上記バイブレータは、上記ワイヤー押込具に設けられていることを特徴とする請求項２に記載の配線管への通線装置。
【請求項４】
上記バイブレータは、上記通線ワイヤーの送り出し方向の先端部に設けられていることを特徴とする請求項２に記載の配線管への通線装置。
【請求項５】
上記バイブレータは、発生させる振動の振幅の調整が可能であることを特徴とする請求項２に記載の配線管への通線装置。
【請求項６】
配線管内に配線されている既存ケーブルを配線管から引き抜く配線管からの既存ケーブルの引抜方法において、
上記既存ケーブルに振動を付与しながら上記既存のケーブルを配線管から引き抜くことを特徴とする配線管からの既存ケーブルの引抜方法。
【請求項７】
配線管内に配線されている既存ケーブルを配線管から引き抜く既存ケーブルの引抜方法に使用する配線管からの既存ケーブルの引抜装置であって、
上記配線管内から既存ケーブルを引き抜くために該既存ケーブルに接続されるケーブル引抜具と、該ケーブル引抜具によって引き抜く既存ケーブルに振動を付与するバイブレータと、を備えていることを特徴とする配線管からの既存ケーブルの引抜装置。
【請求項８】
上記バイブレータは、発生させる振動の振幅の調整が可能であることを特徴とする請求項７に記載の配線管からの既存ケーブルの引抜装置。
【発明の詳細な説明】
【技術分野】
【０００１】
本発明は、配線管にケーブルを挿入するための通線方法と、該通線方法に使用する通線装置並びに配線管からの既存ケーブルを抜き取るための既存ケーブルの引抜方法と、該引抜方法に使用する引抜装置に関するものである。
【背景技術】
【０００２】
図１１に示すように、建造物の壁面や床面１０１等に設けた配線管１０２に同軸ケーブル（以下、単にケーブルと称する）１０３を挿通させる方法として、図１２に示すように、上記配線管１０２に先ず通線ワイヤー１０４を挿入してその一端部１０４ａと他端部１０４ｂを上記配線管１０２の外部に引き出し、図１３に示すように、上記通線ワイヤー１０４の一端部１０４ａにケーブル１０３を接続して、上記通線ワイヤー１０４の他端部１０４ｂを牽引することにより、図１４に示すように、上記ケーブル１０３を上記配線管１０２内に引き込むようにした通線方法が広く採用されている。なお、１０５は、通線ワイヤー１０４とケーブル１０５の接続部である。
【０００３】
上記通線方法においては、配線管１０２が直線的なものである場合には、円滑に通線ワイヤー１０４を挿入することができるが、配線管１０２に屈曲部分（以下、コーナー部と称する）１０２ａ，１０２ｂが存在する場合には、これらコーナー部１０２ａ，１０２ｂにおいて、上記通線ワイヤー１０４の先端部が所謂引っ掛かった状態になって、通線ワイヤー１０４を円滑に挿入することができないという問題点がある。
【０００４】
上記問題点を解決するために、図１５に示すように、先ず、配線管１０２の入り口１０２ｃから剛性を備えたパイプ１１１を挿入し、次に、上記パイプ１１１の内部に柔軟な線状の通線ワイヤー１１２を挿入して、配線管１０２の入口１０２ｃから出口１０２ｄまで通し、その後、上記通線ワイヤー１１２に通線しようとするケーブル１０３を接続して、上記通線ワイヤー１１２を引き戻すことにより、上記ケーブル１０３を配線管１０２に挿入するようにした通線方法および該通線方法に使用するパイプ１１１と、このパイプ内部を挿通する通線ワイヤー１１２からなる通線装置が開示されている。なお、図１５において、１１３は既存のケーブルである。（例えば、特許文献１参照）
【特許文献１】特開２００４−１４７４２９号公報
【発明の開示】
【発明が解決しようとする課題】
【０００５】
ところで、上記従来の配線管への通線方法及び通線装置は、配線管１０２にパイプ１１１を挿入し、該パイプ１１１に更に線状部材としての通線ワイヤー１１２を挿入するものであって、上記配線管１０２が太いものでないと、パイプ１１１を挿入することができないという問題点があった。
【０００６】
また、上記従来の配線管への通線方法及び通線装置は、専ら配線管１０２にケーブル１０３を挿通させるためのものであって、配線管からの既存ケーブルを抜き取る場合には、適用することができないという問題点があった。近年、テレビ等において、多様な周波数帯を使用した放映サービスが増加し、その周波数を受信するために同軸ケーブルを交換する必要が生じているが、既に長年、配線管内に配線されている既存のケーブルを引き抜くのは困難な場合が多い。また、インターホン等の弱電配線設備の配線ケーブルや電線等を交換する必要が生じた場合にも、同様の状況にある。既存ケーブルを引き抜くことができない場合には、多額の費用を掛けて他の位置に配線管を新設し、新設できない場合には露出配線にしていた。
【０００７】
本発明の目的は、上記従来例のようなパイプを使用せず、従ってパイプを挿入することができない細い配線管にも適用することのできる通線方法及び通線装置を提供することにある。
【０００８】
本発明の目的は、配線管へケーブルを挿入する場合だけでなく、既存の配線管からの既存ケーブルを抜き取る場合にも応用できる方法及び装置を提供することにある。
【課題を解決するための手段】
【０００９】
請求項１の発明は、配線管に通線ワイヤーを挿入し、該通線ワイヤーによってケーブルを配線管内に引き込む配線管への通線方法において、上記配線管への上記通線ワイヤーの挿入を該通線ワイヤーに振動を付与しながら行う構成にした。
【００１０】
請求項２の発明は、配線管に通線ワイヤーを挿入し、該通線ワイヤーによってケーブルを配線管内に引き込む配線管への通線方法に使用する通線装置を、上記通線ワイヤーを上記配線管内に押し込むために上記通線ワイヤーに接続されるワイヤー押込具と、該ワイヤー押込具によって送り出された上記通線ワイヤーに振動を付与するバイブレータと、で構成した。
【００１１】
請求項３の発明は、請求項２の通線装置において、上記バイブレータを、上記ワイヤー押込具に設けた。
【００１２】
請求項４の発明は、請求項２の通線装置において、上記バイブレータを、上記通線ワイヤーの送り出し方向の先端部に設けた。
【００１３】
請求項５の発明は、請求項２の通線装置において、上記バイブレータに、発生させる振動の振幅の調整機能を持たせた。
【００１４】
請求項６の発明は、配線管内に配線されている既存ケーブルを配線管から引き抜く配線管からの既存ケーブルの引抜方法において、上記既存のケーブルに振動を付与しながら上記既存のケーブルを配線管から引き抜く構成にした。
【００１５】
請求項７の発明は、配線管内に配線されている既存ケーブルを配線管から引き抜く既存ケーブルの引抜方法に使用する配線管からの既存ケーブルの引抜装置を、上記通線ワイヤーを上記配線管から引き抜くために上記通線ワイヤーに接続されるケーブル引抜具と、該ケーブル引抜具によって引き抜かれる上記通線ワイヤーに振動を付与するバイブレータと、で構成した。
【００１６】
請求項８の発明は、請求項７の引抜装置において、上記バイブレータに、発生させる振動の振幅の調整機能を持たせた。
【発明の効果】
【００１７】
（１）請求項１の通線方法は、通線ワイヤーに加えられる振動によって、通線ワイヤーと配線管の内壁との間の滑りを良好にし、即ち通線ワイヤーと配線管の内壁との間の摩擦の発生を抑制し、配線管の屈曲部等においても、該屈曲部等に沿って円滑に通線ワイヤーを屈曲させる。
（２）請求項２の通線装置は、バイブレータによって通線ワイヤーに振動を付与しながらワイヤー押込具によって通線ワイヤーを配線管内に押し込むことができる。
（３）請求項３の通線装置は、バイブレータをワイヤー押込具に設けたので、ワイヤー押込具を把持しながら該ワイヤー押込具に設けた操作部でバイブレータの操作を行うことができる。
（４）請求項４の通線装置は、バイブレータを通線ワイヤーの送り出し方向の先端部に設けたので、通線ワイヤーの先端部が配線管のコーナー部分等に当接した場合に、通線ワイヤーの先端部に振動を効果的に付与することができる。
（５）請求項５の通線装置は、通線ワイヤーの材質や弾性等に応じて最適の振幅の振動を通線ワイヤーに付与することができる。
（６）請求項６の引抜方法は、既存ケーブルに振動を付与しながら該既存ケーブルを配線管から引き抜くので、長年の使用により、錆や汚れ等によって、配線管の内面に既存ケーブルが所謂貼り付いている場合でも、該貼り付きを剥離し、既存ケーブルを配線管から円滑に引き抜くことができる。
（７）請求項７の引抜装置は、バイブレータによって既存ケーブルに振動を付与しながらケーブル引抜具によって既存ケーブルを配線管内から引き抜くことができる。
（８）請求項８の引抜装置は、既存ケーブルの材質や弾性、或いは配線管の内面への貼り付き状態等に応じて既存ケーブルを最も引き抜き易くする最適の振幅の振動を既存ケーブルに付与することができる。
【発明を実施するための最良の形態】
【００１８】
図１〜図８は、配線管にケーブルを挿入する通線方法と、該通線方法に使用する通線装置を示す。
【００１９】
図１に示すように、通線装置１は、通線ワイヤー１０４に接続（着脱可能に結合）してする該通線ワイヤー１０４を配線管１０２内に押し込むワイヤー押込具２と、該ワイヤー押込具２によって配線管１０２内に押し込まれる通線ワイヤー１０４に振動を付与するバイブレータ３と、を備えている。
【００２０】
上記ワイヤー押込具２は、外形が手持ち式の電動ドリル状に形成されていて、把持部４を把持して使用するようになっている。上記ワイヤー押込具２は、先端部に軸部５を備え、該軸部５に通線ワイヤー１０４の一端部を接続（結合）する構成になっている。
【００２１】
上記バイブレータ３は、上記ワイヤー押込具２の軸部５の付け根部分に配置されていて、該軸部５を介して上記通線ワイヤー２に振動を付与する。上記バイブレータ５は、上記ワイヤー押込具２の外面に設けた操作部６を操作することに振幅や振動数を調整可能になっている。
【００２２】
次に、上記通線装置１を使用した通線方法を説明する。図２に示すように、通線ワイヤー１０４をワイヤー押込具２の軸部５に接続する。通線ワイヤー１０４の軸部５への接続は、上記軸部５に設けたチャッキング機構（図示省略）によって、或いは通線ワイヤー１０４の端部を針金やベルクロテープ等で縛り付けることにより行う。そして、上記ワイヤー押込具２の軸部５に接続した通線ワイヤー１０４の先端部を上記配線管１０２の入口１０２ｃから配線管１０２内に挿入する。
【００２３】
上記配線管１０２内に挿入された通線ワイヤー１０４は、配線管１０２の入口１０２ｃから続く直線状部分１０２ｅにおいては比較的円滑に挿入されて行く。
【００２４】
図２に示すように、通線ワイヤー１０４の先端部が第１のコーナー部分１０２ａに来ると、上記通線ワイヤー１０４の先端部は、上記第１のコーナー部分１０２ａの内壁に当たって湾曲して上記第１のコーナー部分１０２ａを通過するのであるが、このとき上記通線ワイヤー１０４の先端部と配線管１０２の内壁との摩擦が増大して、上記通線ワイヤー１０４の先端部が配線管１０２の内壁に引っ掛かった状態になって、上記ワイヤー押込具２で通線ワイヤー１０４を押し込んでも容易に通線ワイヤー１０４を挿入できないことがある。
【００２５】
このような場合に、上記バイブレータ３を作動させて、通線ワイヤー１０４に振動を加える。この振動により上記通線ワイヤー１０４の先端部と配線管１０２の内壁との間に滑りを発生させ、通線ワイヤー１０４と配線管１０２との間の摩擦を低減させる。これにより、図３に示すように、通線ワイヤー１０４の先端部は、円滑に上記第１のコーナー部分１０２ａを通過する。
【００２６】
上記第１のコーナー部分１０２ａを通過した通線ワイヤー１０４は、該通線ワイヤー１０４の具有する弾性によって第１のコーナー部分１０２ａから先の部分が配線管１０２の内壁に押し付けられた状態になって、図２に示す場合よりも、通線ワイヤー１０４と配線管１０２の内壁との間の摩擦が増大する。そこで、上記通線ワイヤー１０４には、上記バイブレータ３によって継続的に振動を加えながら更に、上記通線ワイヤー１０４を配線管１０２内に押し込んで行くと、図４に示すように、通線ワイヤー１０４の先端部が第２のコーナー部分１０２ｂに来る。上記第２のコーナー部分１０２ｂにおいても通線ワイヤー１０４の先端部は、上記第１のコーナー部分１０２ａの時と同様に通線ワイヤー１０４に加えられた振動によって、第２のコーナー部分１０２ｂを円滑に通過する。
【００２７】
そして、図５に示すように、通線ワイヤー１０４の先端部を配線管１０２の端部１０２ｄから突出させる。上記通線ワイヤー１０４の先端部を配線管１０２の端部１０２ｄから突出させたら、通線ワイヤー１０４から通線装置１を取り外し、代わりに、図１３に示すように、通線ワイヤー１０４の一端部にケーブル１０３を接続する。そして、通線ワイヤー１０４の他端部を牽引することにより、上記ケーブル１０３を配線管１０２に挿入する。
【００２８】
上記実施例においては、バイブレータ３をワイヤー押込具２に設けた場合を示したが、図６に示すように、通線ワイヤー１０４の先端部や中間部にバイブレータ３を設け、ワイヤー押込具２に設けた操作部６で操作する構成にしてもよい。
【００２９】
バイブレータ３を通線ワイヤー１０４の先端部に設けることにより、図２や図４に示すように、各コーナー部分において通線ワイヤー１０４の先端部が配線管１０２の内壁に接触した場合に、該先端部を効果的に振動させることができる。
【００３０】
バイブレータ３は、ワイヤー押込具２と通線ワイヤー１０４の両方に設けても良い。上記通線ワイヤー１０４に設けられるバイブレータ３には、携帯電話等に用いられる小型のバイブレータが使用される。
【００３１】
また、上記実施例においては、通線ワイヤー１０４の端部をワイヤー押込具２に接続する構成にしたので、図７に示すように、配線管１０２の入口１０２ｃからワイヤー押込具２までの距離Ｄが大であると、ワイヤー押込具２で通線ワイヤー１０４を押し込む際に、２点鎖線で示すように通線ワイヤー１０４が湾曲して、通線ワイヤー１０４を配線管１０２内に円滑に押込むことができない場合がある。このような場合には、図８に示すように、通線ワイヤー１０４のワイヤー押込具２への接続位置を順次、変えていって、常に上記配線管１０２の入口１０２ｃに近い位置で通線ワイヤー１０４をワイヤー押込具２で配線管１０２内に押し込むことにより、通線ワイヤー１０４を円滑に配線管１０２内に押込むことができる。
【００３２】
図９〜図１０は、配線管１０２からの既存のケーブル１１３を引き抜くための既存ケーブルの引抜方法と、該引抜方法に使用する引抜装置１１を示す。
【００３３】
図９に示すように、引抜装置１１は、配線管１０２内から既存ケーブル１１３を引き抜くために該既存ケーブル１１３に接続（結合）されるケーブル引抜具１２と、該ケーブル引抜具１２によって引き抜く既存ケーブル１１３に振動を付与するバイブレータ１３と、を備えている。
【００３４】
上記ワイヤー引抜具１２は、外形が手持ち式の電動ドリル状に形成されていて、把持部１４を把持して使用するようになっている。上記ワイヤー引抜具１２は、先端部に軸部１５を備えていて、該軸部１５に上記既存ケーブル１１３の一端部を着脱可能に結合する構成になっている。
【００３５】
上記バイブレータ１３は、上記ワイヤー引抜具１２の軸部１５の付け根部分に配置されていて、該軸部１５を介して上記既存ケーブル１１３に振動を付与する。上記バイブレータ１５は、上記ワイヤー引抜具１２の外面に設けた操作部１６を操作することに振幅や振動数を調整可能になっている。
【００３６】
次に、上記引抜装置１１を使用した既存ケーブルの引抜方法を説明する。図１０に示すように、既存ケーブル１１３をワイヤー引抜具１２の軸部１５に接続する。既存ケーブル１１３の軸部１５への接続は、上記軸部１５に設けたチャッキング機構（図示省略）によって、或いは既存ケーブル１１３の端部を針金やベルクロテープ等で縛り付けることにより行う。そして、上記既存ケーブル１１３に上記バイブレータ１５によって振動を加えながら、上記ワイヤー引抜具１２で既存ケーブル１１３を牽引すれば、例え既存ケーブル１１３と配線管１０２とが錆や汚れ等によって貼り付いた状態になっている場合でも、振動によって両者の剥離が促進される等の効果により配線管１０２から既存ケーブル１１３を容易に引き抜くことが可能になる。なお、上記通線装置１のワイヤー押込具２と既存ケーブルの引抜装置１１のケーブル引抜具１２とは、構造上大差はないので、ワイヤー押込具２をケーブル引抜具１２として使用し、これとは逆にケーブル引抜具１２をワイヤー押込具２として使用しても良い。
【図面の簡単な説明】
【００３７】
【図１】通線装置の説明図。
【図２】通線方法の工程を示す説明図。
【図３】通線方法の工程を示す説明図。
【図４】通線方法の工程を示す説明図。
【図５】通線方法の工程を示す説明図。
【図６】バイブレータを通線ワイヤーの先端部に設けた場合を示す説明図。
【図７】通線ワイヤーが湾曲した状態を示す説明図。
【図８】通線ワイヤーの湾曲を防止した状態を示す説明図。
【図９】既存ケーブルの引抜装置の説明図。
【図１０】既存ケーブルを引き抜いている状態を示す説明図。
【図１１】従来例の工程図。
【図１２】従来例の工程図。
【図１３】従来例の工程図。
【図１４】従来例の工程図。
【図１５】他の従来例の説明図。
【符号の説明】
【００３８】
１…通線装置、２…ワイヤー押込具、３…バイブレータ、４…把持用の孔部、５…軸部、６…操作部、１１…引抜装置、１２…ケーブル引抜具、１３…バイブレータ、１４…把持用の孔部、１５…軸部、１６…操作部、１０２…配線管、１０３…ケーブル、１０４…通線ワイヤー、１０５…接続部、１１３…既存ケーブル。
【図１】
2009112064.tif 000003
【図２】
2009112064.tif 000004
【図３】
2009112064.tif 000005
【図４】
2009112064.tif 000006
【図５】
2009112064.tif 000007
【図６】
2009112064.tif 000008
【図７】
2009112064.tif 000009
【図８】
2009112064.tif 000010
【図９】
2009112064.tif 000011
【図１０】
2009112064.tif 000012
【図１１】
2009112064.tif 000013
【図１２】
2009112064.tif 000014
【図１３】
2009112064.tif 000015
【図１４】
2009112064.tif 000016
【図１５】
2009112064.tif 000017